(57)【要約】地図データ記憶部１４（ＰＯＩ検索用ＤＢ１４５）に登録されている施設データとは別に、施設名変更前後における新旧施設名と、地図データ記憶部１４に登録されているデータ作成時点における施設名との関係を示すデータを追加登録する構成とすることにより、変更後の新施設名、あるいは変更前の旧施設名の何れで検索しても施設検索を可能にした。なお、追加登録されるデータは地図データ記憶部１４とは独立して設けられる記憶媒体（メモリカード１５）に記憶するものとする。
2009034668.tif 000002
【特許請求の範囲】
【請求項１】
データ作成時点における施設データが記憶された第１の記憶手段と、
変更前の施設名と前記データ作成時点における施設名との関連を示すデータ、もしくは変更後の施設名と前記データ作成時点における施設名との関連を示すデータが記憶される第２の記憶手段と、
前記第１の記憶手段を参照して目的の施設が検索できなかった場合、前記第２の記憶手段を参照し、前記目的の施設を前記変更前の施設名もしくは変更後の施設名として前記施設データを検索する施設検索手段と、
を有することを特徴とする施設検索装置。
【請求項２】
施設名の変更に伴い前記第２の記憶手段に記憶される記憶内容を更新する更新手段、
を有することを特徴とする請求項１記載の施設検索装置。
【請求項３】
前記施設検索手段が前記第２の記憶手段を参照して得られる変更後の施設名、もしくは変更前の施設名を、関連する前記第１の記憶手段に記憶されたデータ作成時点における施設名とともに表示する表示制御手段と、
を有することを特徴とする請求項１記載の施設検索装置。
【請求項４】
前記表示制御手段は、
前記施設検索手段が前記第２の記憶手段を参照する際、前記第１の記憶手段に記憶されている、データ作成時点における施設名に関連する変更後の施設名が存在しない場合は、前記施設が存在しなくなったことを示すメッセージを表示することを特徴とする請求項３記載の施設検索装置。
【請求項５】
施設名の上位数桁を入力して検索を指示するとともに、前記施設検索手段による施設検索結果を表示する入力表示手段を備え、
前記施設検索手段は、
前記入力表示手段により入力された施設名に基づき前記第１の記憶手段を参照して施設検索を行って候補施設を表示し、前記施設検索結果が目的とする施設と異なる場合、前記入力表示手段により変更前後における施設名で検索する指示入力があったことを契機に、前記目的とする施設を前記変更前の施設名もしくは変更後の施設名として前記第１の記憶手段を参照して前記施設データを検索することを特徴とする請求項１記載の施設検索装置。
【発明の詳細な説明】
【技術分野】
【０００１】
この発明は、ナビゲーションシステムに用いて好適な施設検索装置に関する。
【背景技術】
【０００２】
ナビゲーションシステムにおいて、地図データベース（地図ＤＢ）に登録されている施設データは、そのデータ作成時点での最新のデータが登録されており、したがって、ユーザがその施設の変更前の施設名しか知らない場合には目的とする施設データを検索することができなかった。【０００３】
上記した問題を解決するために、従来、地図ＤＢに登録されている施設の変更前の名称で施設検索を可能とするナビゲーションシステムが知られている。具体的には、施設データとして、データ作成時における最新施設名および地図上の位置が含まれる最新施設データと、旧施設名がある場合にはその最新施設データに関連する旧施設データが記憶された地図ＤＢを用意し、目的とする施設名が入力された場合に、最新施設データからか正当の有無を判定し、該当が無い場合には更に対応する旧施設データから目的の施設の有無を判定する仕組みになっている（例えば、特許文献１参照）。【０００４】
【特許文献１】特開２００６−３４９５２０号公報
【０００５】
上記した特許文献１に開示された技術によれば、地図ＤＢのデータ構造により、変更前の施設名で目的とする施設は検索できても、データ作成後に変更された施設名では目的とする施設は検索できないという問題があった。この問題は、ネットワーク等を介して最新の地図データをダウンロードして取得すれば解決する問題ではあるが、地図データをダウンロードするためには時間やコスト等を要するといった課題を有する。【０００６】
この発明は上記した課題を解決するためになされたものであり、変更前の施設名は勿論のこと、変更後の施設名でも地図データのダウンロードを必要とすることなく施設検索を可能とし、使い勝手の向上をはかった施設検索装置を提供することを目的とする。
【発明の開示】
【０００７】
上記した課題を解決するためにこの発明の施設検索装置は、データ作成時点における施設データが記憶された第１の記憶手段と、変更前の施設名と前記データ作成時点における施設名との関連を示すデータ、もしくは変更後の施設名と前記データ作成時点における施設名との関連を示すデータが記憶される第２の記憶手段と、前記第１の記憶手段を参照して目的の施設が検索できなかった場合、前記第２の記憶手段を参照し、前記目的の施設を前記変更前の施設名もしくは変更後の施設名として前記施設データを検索する施設検索手段を有するものである。
【０００８】
この発明によれば、変更前の施設名は勿論のこと、変更後の施設名でも地図データのダウンロードを必要とすることなく施設検索を可能とし、使い勝手の向上をはかった施設検索装置を提供することができる。
【図面の簡単な説明】
【０００９】
【図１】この発明の実施の形態１に係る施設検索装置の内部構成を示すブロック図である。
【図２】この発明の実施の形態１に係る施設検索装置で使用されるナビＥＣＵの内部構成を機能展開して示したブロック図である。
【図３】この発明の実施の形態１に係る施設検索装置の基本動作を示すフローチャートである。
【図４】この発明の実施の形態１に係る施設検索装置で使用されるＰＯＩ検索用ＤＢのデータ構造の一例を示す図である。
【図５】この発明の実施の形態１に係る施設検索装置で使用されるＰＯＩ名称検索リスト表示画面構成の一例を示す図である。
【図６】この発明の実施の形態１に係る施設検索装置で使用されるＰＯＩ検索補助ＤＢのデータ構造の一例を示す図である。
【図７】この発明の実施の形態１に係る施設検索装置で使用されるＰＯＩ検索補助ＤＢのデータ構造の一例を示す図である。
【図８】この発明の実施の形態１に係る施設検索装置で使用されるＰＯＩ検索補助ＤＢの検索結果を示す図である。
【図９】この発明の実施の形態１に係る施設検索装置で使用される新旧ＰＯＩ名検索結果表示画面構成の一例を示す図である。
【図１０】この発明の実施の形態１に係る施設検索装置で使用されるＰＯＩ検索補助ＤＢのデータ構造の一例を示す図である。
【図１１】この発明の実施の形態１に係る施設検索装置のＰＯＩ検索補助ＤＢのデータ更新動作を示すフローチャートである。
【図１２】この発明の実施の形態１に係る施設検索装置で使用されるＰＯＩ検索補助ＤＢ更新画面構成の一例を示す図である。
【発明を実施するための最良の形態】
【００１０】
以下、この発明をより詳細に説明するために、この発明を実施するための最良の形態について、添付の図面に従って説明する。
実施の形態１．
図１は、この発明の実施の形態１に係る施設検索装置の内部構成を示すブロック図である。ここでは、施設検索装置として車載用ナビゲーションシステムが例示されている。
図１に示されるように、車載用ナビゲーションシステム１は、ナビＥＣＵ（ナビゲーション電子制御ユニット）１１を制御中枢とし、各種センサ装置１２、操作スイッチ１３、地図データ記憶部１４、記録媒体１５、ディスプレイ１６、オーディオユニット１７、スピーカ１８により構成される。【００１１】
ナビＥＣＵ１１は、方位センサ、車速センサ、およびＧＰＳ（Global Positioning System）受信機等で構成される各種センサ装置１２により生成出力される、それぞれ、角速度、車速パルス、衛星情報（緯度、経度、時間）に基づき、車両の現在位置を測位演算する。ナビＥＣＵ１１はまた、操作スイッチ１３からの入力情報に基づき、施設データを含む地図データが記憶された地図データ記憶部１４を参照することにより、施設検索を行なうとともに目的地までの経路を探索し、ディスプレイ１６上に、地図、車両現在位置の情報、経路情報等を重畳表示する。ナビＥＣＵ１１は、更に、車両の移動に伴い、分岐交差点の右左折案内等に関する模式図をディスプレイ１６上に表示し、オーディオユニット１７経由でスピーカ１８から案内音声を出力する。【００１２】
なお、ディスプレイ１６は、例えば、液晶表示パネルや有機ＥＬ（Electro-Luminescence）パネルなどの表示デバイスを用いて構成されており、ナビＥＣＵ１１から供給される映像信号に応じた画像を表示する。【００１３】
一方、地図データ記憶部１４は、ナビゲーションに必要な各種地図情報を記憶するものであり、具体的には、車両の現在位置を演算するために使用されるロケータ用ＤＢ１４１、車両の現在位置から目的地までの経路を検索するために使用される経路探索用ＤＢ１４２、経路誘導用ＤＢ１４３、地図画面を表示するための地図表示用ＤＢ１４４、施設検索を行うために使用されるＰＯＩ（Point of Interest）検索用ＤＢ１４５が含まれる。
このため、地図データ記憶部１４（ＰＯＩ検索用ＤＢ１４５）は、この発明の施設検索装置を構成する「データ作成時点における施設データが記憶された第１の記憶手段」として機能する。【００１４】
また、記憶媒体１５には、ナビＥＣＵ１１が地図データ以外にナビゲーションに必要な情報、ここでは、地図データ記憶部１４のＰＯＩ検索用ＤＢ１４５のＰＯＩ検索補助データ（ＰＯＩ検索用補助ＤＢ）他が記憶される。記憶媒体１５は、フラッシュメモリ等の不揮発性の記憶デバイスから成るメモリカードで構成され、このため、以降の説明では、記憶媒体１５をメモリカード１５として説明する。メモリカード１５に記憶されるＰＯＩ検索補助ＤＢは、施設の名称変更に伴い、操作スイッチ１３の操作により、あるいは不図示のネットワーク経由でサーバから取得される情報に基づき逐次更新されるものとする。【００１５】
地図データ記憶部１４のＰＯＩ検索用ＤＢ１４５のデータ構造の一例を図４に、メモリカード１５のＰＯＩ検索補助ＤＢのデータ構造の一例を図６、図７に示す。【００１６】
図６、図７に示されるように、メモリカード１５は、内部的には２つのメモリブロックから構成されており、ひとつは、旧（変更前の）施設名と、ＰＯＩ検索用ＤＢ１４５作成時点での施設名（地図データ記憶名称）との関連を示すデータが記憶されるメモリブロックであり、他の一つは、新（変更後の）施設名と、ＰＯＩ検索用ＤＢ１４５作成時点での施設名（地図データ記憶名称）との関連を示すデータが記憶されるメモリブロックである。
このため、メモリカード１５は、この発明の施設検索装置を構成する、「変更前の施設名と前記データ作成時点における施設名との関連を示すデータ、もしくは変更後の施設名と前記データ作成時点における施設名との関連を示すデータを記憶する第２の記憶手段」として機能する。【００１７】
ナビＥＣＵ１１は、上記した地図データ記憶部１４（ＰＯＩ検索用ＤＢ１４５）と、メモリカード１５（ＰＯＩ検索用補助ＤＢ）とを使用することにより、この発明の施設検索装置を構成する「前記第１の記憶手段を参照して目的の施設データが検索できなかった場合、前記第２の記憶手段を参照して、前記目的の施設を前記変更前の施設名もしくは変更後の施設名として前記第１の記憶手段を参照して前記施設データを検索する施設検索手段」として機能する。【００１８】
図２は、図１に示すナビＥＣＵ１１の内部構成を機能展開して示したブロック図であり、ここでは、施設検索に関係するブロックのみを抽出して示してある。
図２に示されるように、ナビＥＣＵ１１は、操作メニュー表示部１１１と、ＰＯＩ検索部１１２と、現在位置演算部１１３と、経路探索部１１４と、経路誘導部１１５と、地図表示部１１６と、表示合成部１１７と、ＰＯＩ検索補助部１１８と、記録媒体更新部１１９と、により構成される。【００１９】
なお、これらのブロック１１１〜１１９が持つ機能は、ナビＥＣＵ１１が、内蔵する主記憶（図示省略）に記憶されるそれぞれのプログラムを実行することにより達成されるものであって、ナビＥＣＵ１１内において実体的に他のブロックと区分され内蔵されるもののみを指すのではなく、あくまでも説明の簡略化のために各処理ブロックを分けて表現したものである。【００２０】
操作メニュー表示部１１１は、操作スイッチ１３からの情報に基づき、操作メニュー、あるいは入力される検索対象となる施設データを表示するための情報を生成し、表示合成部１１７経由でディスプレイ１６を制御する。操作メニュー表示部１１１は、後述するＰＯＩ検索部１１２から得られる施設データの新旧名称を同時に表示するＰＯＩ名称新旧同時表示制御部１１０を含む。操作メニュー表示部１１１は、この発明の施設検索装置を構成する「施設名の上位数桁を入力して施設検索を指示するとともに、前記施設検索手段による施設検索結果を表示する入力表示手段」として機能する。【００２１】
ＰＯＩ検索部１１２は、操作メニュー表示部１１１に基づき、ＰＯＩ検索用ＤＢ１４５から施設情報を読み出して施設検索を行うもので、ユーザによる目的地の指定が可能である。現在位置演算部１１３は、方位センサ１２１、車速センサ１２２、ＧＰＳレシーバ１２３等、各種センサ装置１２により出力される信号から地図データ記憶部１４のロケータ用ＤＢ１４１を参照することにより車両の現在位置の測位演算を行い、経路探索部１１４、経路誘導部１１５、地図表示部１１６のそれぞれを制御する。【００２２】
経路探索部１１４は、現在位置演算部１１３によって出力される現在位置情報、および操作メニュー表示部１１１により指示される目的地情報に基づき、地図データ記憶部１４の経路探索用ＤＢ１４２から該当経路を読み出し、車両現在位置から目的地までの経路を検索する機能を有する。また、経路誘導部１１５は、操作メニュー表示部１１１による指示、経路探索部１１４による経路検索結果、および現在位置演算部１１３から出力される情報に基づき、地図データ記憶部１４の経路誘導用ＤＢ１４３から情報を読み出し、経路誘導を行う機能を有する。【００２３】
地図表示部１１６は、現在位置演算部１１３によって出力される現在位置情報に基づき、地図データ記憶部１４の地図表示用ＤＢ１４４から地図データを読み出し、地図画面を生成して表示合成部１１７へ出力する。表示合成部１１７は、操作メニュー表示部１１１の指示に基づき、地図表示部１１６、経路検索部１１４、経路誘導部１１５のそれぞれから出力される表示情報を合成（重畳）し、かつ、操作メニューの表示を合成することが可能である。ディスプレイ１６は、表示合成部１１７により出力される表示合成の結果を表示する。【００２４】
なお、メモリカード１５には、地図データ記憶部１４のＰＯＩ検索用ＤＢ１４５のＰＯＩ検索用補助データが記憶されることは上記したとおりである。ＰＯＩ検索補助部１１８は、ＰＯＩ検索部１１２の指示に基づき、メモリカード１５（ＰＯＩ検索補助ＤＢ）から変更前後の施設名とデータ作成時点における施設名との対応関係を読み出し、施設検索の補助処理を行う。ＰＯＩ検索補助部１１８は、ＰＯＩ検索部１１２と協働することにより、ＰＯＩ検索用ＤＢ１４５を参照して目的の施設データが検索できなかった場合、メモリカード１５（ＰＯＩ検索補助ＤＢ）を参照して目的の施設を変更前の施設名もしくは変更後の施設名とし、再度ＰＯＩ検索用ＤＢ１４５を参照して目的とする施設の地図上における位置情報である施設データを検索する。【００２５】
なお、記憶媒体更新部１１９は、メモリカード１５に記憶されたＰＯＩ検索補助ＤＢを書替えるものであり、その書替え内容は、操作スイッチ１３による指示、あるいは不図示のネットワーク経由で取得した更新情報に基づく。このため、記憶媒体更新部１１９は、この発明の施設検索装置を構成する「施設名の変更に伴い前記第２の記憶手段に記憶される記憶内容を更新する更新手段」として機能する。【００２６】
図３は、この発明の実施の形態に係る施設検索装置の基本動作を示すフローチャートである。以下、図３に示すフローチャートを参照しながら図１、図２に示すこの発明の実施の形態１に係る施設検索装置の動作について詳細に説明する。【００２７】
まず、ユーザは、目的とする施設データの検索を行うため、操作スイッチ１３を操作することにより検索対象となる目的の施設名（ＰＯＩ名）を途中まで入力する。ここでは、施設名を構成する上位数桁までの文字とする。図４には、ＰＯＩ検索用ＤＢ１４５のデータ構造の他に、ユーザが、施設名を、例えば、『き』『ょ』『う』『せ』と途中まで入力した場合のＰＯＩ検索用ＤＢ１４５の検索範囲（５０音順）が示されている。【００２８】
ナビＥＣＵ１１は、操作スイッチ１３を介して上記したＰＯＩ名が入力されたことを検知してＰＯＩ検索部１１２を起動し（ステップＳＴ３０１“ＹＥＳ”）、これを受けたＰＯＩ検索部１１２は、地図データ記憶部１４のＰＯＩ検索用ＤＢ１４５内の該当するＰＯＩデータの絞込みを行い（ステップＳＴ３０２）、その結果（候補施設）は、操作メニュー表示部１１１によりディスプレイ１６上にリスト表示される（ステップＳＴ３０３）。図５に、図４に示した検索範囲がディスプレイ１６にリスト表示された場合の画面（施設検索結果表示画面）構成の一例が示されている。ここでは、近畿圏で全１９９件の候補施設がヒットした例が示されており、画面左のエレベータアイコンを操作することにより全ての候補施設の中から選択を促すＧＵＩ（Graphical User Interface）環境が提供される。【００２９】
ここで、ユーザは、希望する施設がディスプレイ１６上に候補リストとして表示されていれば、それを選択して目的地として設定することができる。しかしながら、希望する施設が、ＰＯＩ検索用ＤＢ１４５に記憶された施設データが作成された時点でのＰＯＩ名より古い名称（変更前の名称）であるか、もしくは新しい名称（変更後の名称）であった場合には、表示されている候補リストからは見つけることができない。これに対し、この発明の実施の形態１に係る施設検索装置によれば、ユーザは先に途中まで入力したＰＯＩ名を使用してメモリカード１５を参照することにより、目的とするＰＯＩ名を、（地図データ作成時点でのＰＯＩ名に対して）変更前、もしくは変更後のＰＯＩ名として検索することが可能である。この機能は、図５に示す施設検索結果表示画面の右下に割り付けられ表示される「新・旧名称で検索」ボタンが押下されたことを検索契機として実現される。【００３０】
図６に、『きょうせ』から始まるＰＯＩ検索用補助ＤＢ（変更前の施設名と、地図データ作成時点での施設名）の検索範囲が、図７に、『きょうせ』から始まるＰＯＩ検索用補助ＤＢ（変更後の施設名と、地図データ作成時点での施設名）の検索範囲がそれぞれ５０音順に示されている。また、図８に、図６と図７に示した検索範囲に基づき、メモリカード１５（ＰＯＩ検索用補助ＤＢ）から検索した『きょうせ』検索結果の画面構成の一例が示されている。ここでは、途中までの施設名『きょうせ』に関し、ヒットした変更前のＰＯＩ名「キョウセ  イシカ××クリニック」は、ＰＯＩ検索用ＤＢ１４５に該当は無く、変更後の施設名「キョウセ  ラドームオオサカ」、「キョウセ  ラ□□」は、ＰＯＩ検索用ＤＢ１４５に、「オオサカドーム」、「キョウト△△△（カブ）」として記憶されていることを示している。【００３１】
すなわち、図３に示すフローチャートにおいて、ディスプレイ１６上に表示された候補リスト、すなわち、ＰＯＩ検索部１１２が地図データ記憶部１４のＰＯＩ検索用ＤＢ１４５を検索することにより作成された候補リストから、ユーザにより希望のＰＯＩが選択された場合（ステップＳＴ３０４“ＹＥＳ”）、ＰＯＩ検索部１１２は、さらにＰＯＩ検索補助部１１８を起動し、これにより、ＰＯＩ検索補助部１１８は、メモリカード１５（ＰＯＩ検索用補助ＤＢ）を検索し（ステップＳＴ３１０）、ユーザによって選択された施設が変更後の新ＰＯＩ名として存在するか否かを判定する（ステップＳＴ３１１）。【００３２】
ここで、ユーザによって選択された施設名が変更後の新施設名に存在すると判定された場合（ステップＳＴ３１１“ＹＥＳ”）、ＰＯＩ検索部１１２は、操作メニュー表示部１１１を介して当該選択したＰＯＩ名を目的地設定し（ステップＳＴ３０９）、選択したＰＯＩが変更後の新ＰＯＩ名に存在しないと判定された場合（ステップＳＴ３１１“ＮＯ”）、ディスプレイ１６に該当データが無い旨のメッセージ表示を行う（ステップＳＴ３１２）。【００３３】
一方、ＰＯＩ検索用ＤＢ１４５により作成された候補リストから目的とするＰＯＩが選択されなかった場合（ステップＳＴ３０４“ＮＯ”）、ＰＯＩ検索部１１２による制御の下、ＰＯＩ検索補助部１１８は、変更前後の新旧ＰＯＩ名で検索を行うためにメモリカード１５（ＰＯＩ検索用補助ＤＢ）を検索する（ステップＳＴ３０６）。
その結果、ＰＯＩ検索補助部１１８は、変更前後の新旧ＰＯＩ名とＰＯＩ検索用ＤＢ１４５に記憶されたＰＯＩ名とから成る施設名称対応表から成る新たな候補リストを生成し、ＰＯＩ検索部１１２を介し操作メニュー表示部１１１を制御して、ＰＯＩ名の変更前後における新旧施設名称検索結果の表示を行い（ステップＳＴ３０７）、ユーザに操作スイッチ１３を用いた目的地設定対象となるＰＯＩ名の選択を促す。続いて、ＰＯＩ検索部１１２は、ユーザによる目的地設定の対象となるＰＯＩの選択操作を待ち（ステップＳＴ３０８“ＹＥＳ”）、当該選択されたＰＯＩにしたがいＰＯＩ検索用ＤＢ１４５を検索し、該当の施設データに基づき目的地設定を行なう（ステップＳＴ３０９）。【００３４】
なお、ここで新たにリスト表示されるＰＯＩ名の変更前後における新旧施設名称検索結果は、例えば、図９に示されている。上記した新旧ＰＯＩ名検索結果は、操作メニュー表示部１１１のＰＯＩ名称新旧同時表示制御部１１０によりリスト表示され、変更前の旧ＰＯＩ名に対しＰＯＩ検索用ＤＢ１４５に該当する名称がない場合は、『該当なし』と表示する。また、図１０に示されるように、ＰＯＩ検索用ＤＢ１４５のＰＯＩ名（データ作成時点での施設名）に対し、変更後の新ＰＯＩ名に該当する施設が無い場合は、その施設がなくなったものとみなし、図９同様、『該当なし』と表示する。【００３５】
ところで、メモリカード１５に記憶されるＰＯＩ検索用補助ＤＢは、記憶媒体更新部１１９により内容の書替えが可能である。図１１に、記憶媒体１５の書替え動作がフローチャートで示されている。
図１１において、メモリカード１５の内容書替えにあたり、まず、ディスプレイ１６上にはＰＯＩ検索用補助ＤＢ書替画面が表示される（ステップＳＴ１１１）。ＰＯＩ検索用補助ＤＢ書替画面は、図１２にその画面構成の一例が示されている。【００３６】
図１１のフローチャートにおいて、メモリカード１５からダウンロードを開始しますかの問い合わせメッセージに対し、ユーザにより「はい」ボタンが押下されると、記憶媒体更新部１１９は、メモリカードが挿入されていることを検知して（ステップＳＴ１１２“ＹＥＳ”）操作メニュー表示部１１１経由でディスプレイ１６に不図示のダウンロード開始確認画面を表示する。続いて、記憶媒体更新部１１９は、ユーザによる確認入力の指示を待って（ステップＳＴ１１３“ＹＥＳ”）ダウンロードするデータにエラーが無いかチェックする（ステップＳＴ１１４）。ここでエラーが無いことが確認されて始めてダウンロードが開始され（ステップＳＴ１１５）、ダウンロードが完了して記憶媒体１５の内容更新処理が終了する（ステップＳＴ１１６）。【００３７】
なお、ステップＳＴ１１２でメモリカード１５が未挿入であると判定された場合（ステップＳＴ１１２“ＮＯ”）、あるいはダウンロードするデータにエラーがあると判定された場合（ステップＳＴ１１４“ＮＯ”）、記憶媒体更新部１１９は、ディスプレイ１６にエラー表示を行い（ステップＳＴ１１７）、上記した記憶媒体１５の内容更新処理の一連の処理を終了する。また、ステップＳＴ１１３において、ダウンロード開始確認画面で確認入力が無かった場合も（ステップＳＴ１１３“ＮＯ”）上記したメモリカード１５の内容更新に係る一連の処理を終了する。【００３８】
なお、上記したこの発明の実施の形態１に係る施設検索装置によれば、メモリカード１５の内容更新は、ナビＥＣＵ１１（記憶媒体更新部１１９）が行なうものとして説明したが、ユーザがパソコン等を使用してデータ（新旧ＰＯＩ名と地図データ作成時点における施設名との関連データ）を編集し、あるいはインターネット等のネットワークを介して新しいデータをダウンロード取得することによりメモリカード１５にコピーし、当該メモリカード１５を車載ナビゲーションシステムのメモリスロット等に挿入して使用することも考えられる。【００３９】
以上説明のようにこの発明の実施の形態１に係る施設検索装置によれば、ゴルフ場やホテルなどの施設に関し、記憶媒体（メモリカード１５）に、地図データ記憶部１４（ＰＯＩ検索用ＤＢ１４５）に登録されている施設データとは別に、施設名変更前後における新旧ＰＯＩ名と、地図データ記憶部１４に登録されているデータ作成時点におけるＰＯＩ名との関係を示すデータを追加登録する構成とすることにより、変更後の新ＰＯＩ名、あるいは変更前の旧ＰＯＩ名の何れで検索しても施設検索を可能にしたものである。このため、ユーザが地図データ記憶部１４（ＰＯＩ検索用ＤＢ１４５）に登録されているＰＯＩの名称より古い（または、新しい）名称しか知らない場合でも、施設名の変更前（旧名称）もしくは変更後（新名称）のＰＯＩ名との関係が記憶されたメモリカード１５を参照することにより検索が可能になる。また、この場合、メモリカード１５の内容のみを更新するだけで目的とする施設検索が可能になるため、更新時間の短縮、更新費用の削減、急な施設名称変更時の即時対応等が可能となる。なお、更新されるメモリカード１５は、車載ナビゲーションシステム本体装置とは分離して構成されるため、車載ナビゲーションシステムとは切り離して更新が可能である。【００４０】
なお、上記したこの発明の実施の形態１に係る施設検索装置によれば、施設検索装置として車載ナビゲーションシステムのみ例示したが、同様の構成を有する、例えば、ＰＤＡ（Personal Digital Assistants）、や携帯電話、ＰＣ、ゲーム機等にも同様に適用が可能である。【００４１】
また、図２に示すこの発明の実施の形態１に係る施設検索装置（ナビＥＣＵ１１）が有する各構成ブロックの機能は、全てをソフトウェアによって実現しても、あるいはその少なくとも一部をハードウェアで実現してもよい。例えば、ＰＯＩ検索部１１２、現在位置演算部１１３、経路探索部１１４、経路誘導部１１５、ＰＯＩ検索補助部１１８と、記録媒体更新部１１９におけるデータ処理は、１または複数のプログラムによりコンピュータ上で実現してもよく、また、その少なくとも一部をハードウェアで実現してもよい。
【産業上の利用可能性】
【００４２】
以上のように、この発明に係る施設検索装置は、データ作成時点における施設データと変更前及び変更後の施設名との関係を示すデータを追加登録し、変更前や変更後の施設名でも地図データのダウンロードを必要とすることなく施設検索を実現するように構成したので、車載ナビゲーションシステムや携帯電話、PCなどに用いるのに適している。
【図１】
2009034668.tif 000003
【図２】
2009034668.tif 000004
【図３】
2009034668.tif 000005
【図４】
2009034668.tif 000006
【図５】
2009034668.tif 000007
【図６】
2009034668.tif 000008
【図７】
2009034668.tif 000009
【図８】
2009034668.tif 000010
【図９】
2009034668.tif 000011
【図１０】
2009034668.tif 000012
【図１１】
2009034668.tif 000013
【図１２】
2009034668.tif 000014
【手続補正書】
【提出日】平成21年8月13日(2009.8.13)
【手続補正１】
【補正対象書類名】明細書
【補正対象項目名】全文
【補正方法】変更
【補正の内容】
【書類名】      明細書
【発明の名称】  施設検索装置
【技術分野】
【０００１】
この発明は、ナビゲーションシステムに用いて好適な施設検索装置に関する。
【背景技術】
【０００２】
ナビゲーションシステムにおいて、地図データベース（地図ＤＢ）に登録されている施設データは、そのデータ作成時点での最新のデータが登録されており、したがって、ユーザがその施設の変更前の施設名しか知らない場合には目的とする施設データを検索することができなかった。
【０００３】
上記した問題を解決するために、従来、地図ＤＢに登録されている施設の変更前の名称で施設検索を可能とするナビゲーションシステムが知られている。具体的には、施設データとして、データ作成時における最新施設名および地図上の位置が含まれる最新施設データと、旧施設名がある場合にはその最新施設データに関連する旧施設データが記憶された地図ＤＢを用意し、目的とする施設名が入力された場合に、最新施設データからか正当の有無を判定し、該当が無い場合には更に対応する旧施設データから目的の施設の有無を判定する仕組みになっている（例えば、特許文献１参照）。
【先行技術文献】
【特許文献】
【０００４】
【特許文献１】
特開２００６−３４９５２０号公報
【発明の概要】
【発明が解決しようとする課題】
【０００５】
上記した特許文献１に開示された技術によれば、地図ＤＢのデータ構造により、変更前の施設名で目的とする施設は検索できても、データ作成後に変更された施設名では目的とする施設は検索できないという問題があった。この問題は、ネットワーク等を介して最新の地図データをダウンロードして取得すれば解決する問題ではあるが、地図データをダウンロードするためには時間やコスト等を要するといった課題を有する。
【０００６】
この発明は上記した課題を解決するためになされたものであり、変更前の施設名は勿論のこと、変更後の施設名でも地図データのダウンロードを必要とすることなく施設検索を可能とし、使い勝手の向上をはかった施設検索装置を提供することを目的とする。
【課題を解決するための手段】
【０００７】
上記した課題を解決するためにこの発明の施設検索装置は、データ作成時点における施設データが記憶された第１の記憶手段と、施設データのデータ作成時施設名に変更される前の変更前施設名とデータ作成時施設名との関連を示すデータ、もしくは、データ作成時施設名から変更された変更後施設名とデータ作成時施設名との関連を示すデータが記憶される第２の記憶手段と、第１の記憶手段を参照して目的の施設が検索できなかった場合、第２の記憶手段を参照し、目的の施設を変更前施設名もしくは変更後施設名として施設データを検索する施設検索手段とを有するものである。
【発明の効果】
【０００８】
この発明によれば、データ作成時点の施設名に変更する前の施設名は勿論のこと、データ作成時点の施設名から変更した後の施設名でも地図データのダウンロードを必要とすることなく施設検索を可能とし、使い勝手の向上をはかった施設検索装置を提供することができる。
【図面の簡単な説明】
【０００８】
【図１】  この発明の実施の形態１に係る施設検索装置の内部構成を示すブロック図である。
【図２】  この発明の実施の形態１に係る施設検索装置で使用されるナビＥＣＵの内部構成を機能展開して示したブロック図である。
【図３】  この発明の実施の形態１に係る施設検索装置の基本動作を示すフローチャートである。
【図４】  この発明の実施の形態１に係る施設検索装置で使用されるＰＯＩ検索用ＤＢのデータ構造の一例を示す図である。
【図５】  この発明の実施の形態１に係る施設検索装置で使用されるＰＯＩ名称検索リスト表示画面構成の一例を示す図である。
【図６】  この発明の実施の形態１に係る施設検索装置で使用されるＰＯＩ検索補助ＤＢのデータ構造の一例を示す図である。
【図７】  この発明の実施の形態１に係る施設検索装置で使用されるＰＯＩ検索補助ＤＢのデータ構造の一例を示す図である。
【図８】  この発明の実施の形態１に係る施設検索装置で使用されるＰＯＩ検索補助ＤＢの検索結果を示す図である。
【図９】  この発明の実施の形態１に係る施設検索装置で使用される新旧ＰＯＩ名検索結果表示画面構成の一例を示す図である。
【図１０】  この発明の実施の形態１に係る施設検索装置で使用されるＰＯＩ検索補助ＤＢのデータ構造の一例を示す図である。
【図１１】  この発明の実施の形態１に係る施設検索装置のＰＯＩ検索補助ＤＢのデータ更新動作を示すフローチャートである。
【図１２】  この発明の実施の形態１に係る施設検索装置で使用されるＰＯＩ検索補助ＤＢ更新画面構成の一例を示す図である。
【発明を実施するための形態】
【０００９】
以下、この発明をより詳細に説明するために、この発明を実施するための最良の形態について、添付の図面に従って説明する。
実施の形態１．
図１は、この発明の実施の形態１に係る施設検索装置の内部構成を示すブロック図である。ここでは、施設検索装置として車載用ナビゲーションシステムが例示されている。
図１に示されるように、車載用ナビゲーションシステム１は、ナビＥＣＵ（ナビゲーション電子制御ユニット）１１を制御中枢とし、各種センサ装置１２、操作スイッチ１３、地図データ記憶部１４、記録媒体１５、ディスプレイ１６、オーディオユニット１７、スピーカ１８により構成される。
【００１０】
ナビＥＣＵ１１は、方位センサ、車速センサ、およびＧＰＳ（Global Positioning System）受信機等で構成される各種センサ装置１２により生成出力される、それぞれ、角速度、車速パルス、衛星情報（緯度、経度、時間）に基づき、車両の現在位置を測位演算する。ナビＥＣＵ１１はまた、操作スイッチ１３からの入力情報に基づき、施設データを含む地図データが記憶された地図データ記憶部１４を参照することにより、施設検索を行なうとともに目的地までの経路を探索し、ディスプレイ１６上に、地図、車両現在位置の情報、経路情報等を重畳表示する。ナビＥＣＵ１１は、更に、車両の移動に伴い、分岐交差点の右左折案内等に関する模式図をディスプレイ１６上に表示し、オーディオユニット１７経由でスピーカ１８から案内音声を出力する。
【００１１】
なお、ディスプレイ１６は、例えば、液晶表示パネルや有機ＥＬ（Electro-Luminescence）パネルなどの表示デバイスを用いて構成されており、ナビＥＣＵ１１から供給される映像信号に応じた画像を表示する。
【００１２】
一方、地図データ記憶部１４は、ナビゲーションに必要な各種地図情報を記憶するものであり、具体的には、車両の現在位置を演算するために使用されるロケータ用ＤＢ１４１、車両の現在位置から目的地までの経路を検索するために使用される経路探索用ＤＢ１４２、経路誘導用ＤＢ１４３、地図画面を表示するための地図表示用ＤＢ１４４、施設検索を行うために使用されるＰＯＩ（Point of Interest）検索用ＤＢ１４５が含まれる。
このため、地図データ記憶部１４（ＰＯＩ検索用ＤＢ１４５）は、この発明の施設検索装置を構成する「データ作成時点における施設データが記憶された第１の記憶手段」として機能する。
【００１３】
また、記憶媒体１５には、ナビＥＣＵ１１が地図データ以外にナビゲーションに必要な情報、ここでは、地図データ記憶部１４のＰＯＩ検索用ＤＢ１４５のＰＯＩ検索補助データ（ＰＯＩ検索用補助ＤＢ）他が記憶される。記憶媒体１５は、フラッシュメモリ等の不揮発性の記憶デバイスから成るメモリカードで構成され、このため、以降の説明では、記憶媒体１５をメモリカード１５として説明する。メモリカード１５に記憶されるＰＯＩ検索補助ＤＢは、施設の名称変更に伴い、操作スイッチ１３の操作により、あるいは不図示のネットワーク経由でサーバから取得される情報に基づき逐次更新されるものとする。
【００１４】
地図データ記憶部１４のＰＯＩ検索用ＤＢ１４５のデータ構造の一例を図４に、メモリカード１５のＰＯＩ検索補助ＤＢのデータ構造の一例を図６、図７に示す。
【００１５】
図６、図７に示されるように、メモリカード１５は、内部的には２つのメモリブロックから構成されており、ひとつは、旧（変更前の）施設名と、ＰＯＩ検索用ＤＢ１４５作成時点での施設名（地図データ記憶名称）との関連を示すデータが記憶されるメモリブロックであり、他の一つは、新（変更後の）施設名と、ＰＯＩ検索用ＤＢ１４５作成時点での施設名（地図データ記憶名称）との関連を示すデータが記憶されるメモリブロックである。
このため、メモリカード１５は、この発明の施設検索装置を構成する、「変更前の施設名と前記データ作成時点における施設名との関連を示すデータ、もしくは変更後の施設名と前記データ作成時点における施設名との関連を示すデータを記憶する第２の記憶手段」として機能する。
【００１６】
ナビＥＣＵ１１は、上記した地図データ記憶部１４（ＰＯＩ検索用ＤＢ１４５）と、メモリカード１５（ＰＯＩ検索用補助ＤＢ）とを使用することにより、この発明の施設検索装置を構成する「前記第１の記憶手段を参照して目的の施設データが検索できなかった場合、前記第２の記憶手段を参照して、前記目的の施設を前記変更前の施設名もしくは変更後の施設名として前記第１の記憶手段を参照して前記施設データを検索する施設検索手段」として機能する。
【００１７】
図２は、図１に示すナビＥＣＵ１１の内部構成を機能展開して示したブロック図であり、ここでは、施設検索に関係するブロックのみを抽出して示してある。
図２に示されるように、ナビＥＣＵ１１は、操作メニュー表示部１１１と、ＰＯＩ検索部１１２と、現在位置演算部１１３と、経路探索部１１４と、経路誘導部１１５と、地図表示部１１６と、表示合成部１１７と、ＰＯＩ検索補助部１１８と、記録媒体更新部１１９と、により構成される。
【００１８】
なお、これらのブロック１１１〜１１９が持つ機能は、ナビＥＣＵ１１が、内蔵する主記憶（図示省略）に記憶されるそれぞれのプログラムを実行することにより達成されるものであって、ナビＥＣＵ１１内において実体的に他のブロックと区分され内蔵されるもののみを指すのではなく、あくまでも説明の簡略化のために各処理ブロックを分けて表現したものである。
【００１９】
操作メニュー表示部１１１は、操作スイッチ１３からの情報に基づき、操作メニュー、あるいは入力される検索対象となる施設データを表示するための情報を生成し、表示合成部１１７経由でディスプレイ１６を制御する。操作メニュー表示部１１１は、後述するＰＯＩ検索部１１２から得られる施設データの新旧名称を同時に表示するＰＯＩ名称新旧同時表示制御部１１０を含む。操作メニュー表示部１１１は、この発明の施設検索装置を構成する「施設名の上位数桁を入力して施設検索を指示するとともに、前記施設検索手段による施設検索結果を表示する入力表示手段」として機能する。
【００２０】
ＰＯＩ検索部１１２は、操作メニュー表示部１１１に基づき、ＰＯＩ検索用ＤＢ１４５から施設情報を読み出して施設検索を行うもので、ユーザによる目的地の指定が可能である。現在位置演算部１１３は、方位センサ１２１、車速センサ１２２、ＧＰＳレシーバ１２３等、各種センサ装置１２により出力される信号から地図データ記憶部１４のロケータ用ＤＢ１４１を参照することにより車両の現在位置の測位演算を行い、経路探索部１１４、経路誘導部１１５、地図表示部１１６のそれぞれを制御する。
【００２１】
経路探索部１１４は、現在位置演算部１１３によって出力される現在位置情報、および操作メニュー表示部１１１により指示される目的地情報に基づき、地図データ記憶部１４の経路探索用ＤＢ１４２から該当経路を読み出し、車両現在位置から目的地までの経路を検索する機能を有する。また、経路誘導部１１５は、操作メニュー表示部１１１による指示、経路探索部１１４による経路検索結果、および現在位置演算部１１３から出力される情報に基づき、地図データ記憶部１４の経路誘導用ＤＢ１４３から情報を読み出し、経路誘導を行う機能を有する。
【００２２】
地図表示部１１６は、現在位置演算部１１３によって出力される現在位置情報に基づき、地図データ記憶部１４の地図表示用ＤＢ１４４から地図データを読み出し、地図画面を生成して表示合成部１１７へ出力する。表示合成部１１７は、操作メニュー表示部１１１の指示に基づき、地図表示部１１６、経路検索部１１４、経路誘導部１１５のそれぞれから出力される表示情報を合成（重畳）し、かつ、操作メニューの表示を合成することが可能である。ディスプレイ１６は、表示合成部１１７により出力される表示合成の結果を表示する。
【００２３】
なお、メモリカード１５には、地図データ記憶部１４のＰＯＩ検索用ＤＢ１４５のＰＯＩ検索用補助データが記憶されることは上記したとおりである。ＰＯＩ検索補助部１１８は、ＰＯＩ検索部１１２の指示に基づき、メモリカード１５（ＰＯＩ検索補助ＤＢ）から変更前後の施設名とデータ作成時点における施設名との対応関係を読み出し、施設検索の補助処理を行う。ＰＯＩ検索補助部１１８は、ＰＯＩ検索部１１２と協働することにより、ＰＯＩ検索用ＤＢ１４５を参照して目的の施設データが検索できなかった場合、メモリカード１５（ＰＯＩ検索補助ＤＢ）を参照して目的の施設を変更前の施設名もしくは変更後の施設名とし、再度ＰＯＩ検索用ＤＢ１４５を参照して目的とする施設の地図上における位置情報である施設データを検索する。
【００２４】
なお、記憶媒体更新部１１９は、メモリカード１５に記憶されたＰＯＩ検索補助ＤＢを書替えるものであり、その書替え内容は、操作スイッチ１３による指示、あるいは不図示のネットワーク経由で取得した更新情報に基づく。このため、記憶媒体更新部１１９は、この発明の施設検索装置を構成する「施設名の変更に伴い前記第２の記憶手段に記憶される記憶内容を更新する更新手段」として機能する。
【００２５】
図３は、この発明の実施の形態に係る施設検索装置の基本動作を示すフローチャートである。以下、図３に示すフローチャートを参照しながら図１、図２に示すこの発明の実施の形態１に係る施設検索装置の動作について詳細に説明する。
【００２６】
まず、ユーザは、目的とする施設データの検索を行うため、操作スイッチ１３を操作することにより検索対象となる目的の施設名（ＰＯＩ名）を途中まで入力する。ここでは、施設名を構成する上位数桁までの文字とする。図４には、ＰＯＩ検索用ＤＢ１４５のデータ構造の他に、ユーザが、施設名を、例えば、『き』『ょ』『う』『せ』と途中まで入力した場合のＰＯＩ検索用ＤＢ１４５の検索範囲（５０音順）が示されている。
【００２７】
ナビＥＣＵ１１は、操作スイッチ１３を介して上記したＰＯＩ名が入力されたことを検知してＰＯＩ検索部１１２を起動し（ステップＳＴ３０１“ＹＥＳ”）、これを受けたＰＯＩ検索部１１２は、地図データ記憶部１４のＰＯＩ検索用ＤＢ１４５内の該当するＰＯＩデータの絞込みを行い（ステップＳＴ３０２）、その結果（候補施設）は、操作メニュー表示部１１１によりディスプレイ１６上にリスト表示される（ステップＳＴ３０３）。図５に、図４に示した検索範囲がディスプレイ１６にリスト表示された場合の画面（施設検索結果表示画面）構成の一例が示されている。ここでは、近畿圏で全１９９件の候補施設がヒットした例が示されており、画面左のエレベータアイコンを操作することにより全ての候補施設の中から選択を促すＧＵＩ（Graphical User Interface）環境が提供される。
【００２８】
ここで、ユーザは、希望する施設がディスプレイ１６上に候補リストとして表示されていれば、それを選択して目的地として設定することができる。しかしながら、希望する施設が、ＰＯＩ検索用ＤＢ１４５に記憶された施設データが作成された時点でのＰＯＩ名より古い名称（変更前の名称）であるか、もしくは新しい名称（変更後の名称）であった場合には、表示されている候補リストからは見つけることができない。これに対し、この発明の実施の形態１に係る施設検索装置によれば、ユーザは先に途中まで入力したＰＯＩ名を使用してメモリカード１５を参照することにより、目的とするＰＯＩ名を、（地図データ作成時点でのＰＯＩ名に対して）変更前、もしくは変更後のＰＯＩ名として検索することが可能である。この機能は、図５に示す施設検索結果表示画面の右下に割り付けられ表示される「新・旧名称で検索」ボタンが押下されたことを検索契機として実現される。
【００２９】
図６に、『きょうせ』から始まるＰＯＩ検索用補助ＤＢ（変更前の施設名と、地図データ作成時点での施設名）の検索範囲が、図７に、『きょうせ』から始まるＰＯＩ検索用補助ＤＢ（変更後の施設名と、地図データ作成時点での施設名）の検索範囲がそれぞれ５０音順に示されている。また、図８に、図６と図７に示した検索範囲に基づき、メモリカード１５（ＰＯＩ検索用補助ＤＢ）から検索した『きょうせ』検索結果の画面構成の一例が示されている。ここでは、途中までの施設名『きょうせ』に関し、ヒットした変更前のＰＯＩ名「キョウセ  イシカ××クリニック」は、ＰＯＩ検索用ＤＢ１４５に該当は無く、変更後の施設名「キョウセ  ラドームオオサカ」、「キョウセ  ラ□□」は、ＰＯＩ検索用ＤＢ１４５に、「オオサカドーム」、「キョウト△△△（カブ）」として記憶されていることを示している。
【００３０】
すなわち、図３に示すフローチャートにおいて、ディスプレイ１６上に表示された候補リスト、すなわち、ＰＯＩ検索部１１２が地図データ記憶部１４のＰＯＩ検索用ＤＢ１４５を検索することにより作成された候補リストから、ユーザにより希望のＰＯＩが選択された場合（ステップＳＴ３０４“ＹＥＳ”）、ＰＯＩ検索部１１２は、さらにＰＯＩ検索補助部１１８を起動し、これにより、ＰＯＩ検索補助部１１８は、メモリカード１５（ＰＯＩ検索用補助ＤＢ）を検索し（ステップＳＴ３１０）、ユーザによって選択された施設が変更後の新ＰＯＩ名として存在するか否かを判定する（ステップＳＴ３１１）。
【００３１】
ここで、ユーザによって選択された施設名が変更後の新施設名に存在すると判定された場合（ステップＳＴ３１１“ＹＥＳ”）、ＰＯＩ検索部１１２は、操作メニュー表示部１１１を介して当該選択したＰＯＩ名を目的地設定し（ステップＳＴ３０９）、選択したＰＯＩが変更後の新ＰＯＩ名に存在しないと判定された場合（ステップＳＴ３１１“ＮＯ”）、ディスプレイ１６に該当データが無い旨のメッセージ表示を行う（ステップＳＴ３１２）。
【００３２】
一方、ＰＯＩ検索用ＤＢ１４５により作成された候補リストから目的とするＰＯＩが選択されなかった場合（ステップＳＴ３０４“ＮＯ”）、ＰＯＩ検索部１１２による制御の下、ＰＯＩ検索補助部１１８は、変更前後の新旧ＰＯＩ名で検索を行うためにメモリカード１５（ＰＯＩ検索用補助ＤＢ）を検索する（ステップＳＴ３０６）。
その結果、ＰＯＩ検索補助部１１８は、変更前後の新旧ＰＯＩ名とＰＯＩ検索用ＤＢ１４５に記憶されたＰＯＩ名とから成る施設名称対応表から成る新たな候補リストを生成し、ＰＯＩ検索部１１２を介し操作メニュー表示部１１１を制御して、ＰＯＩ名の変更前後における新旧施設名称検索結果の表示を行い（ステップＳＴ３０７）、ユーザに操作スイッチ１３を用いた目的地設定対象となるＰＯＩ名の選択を促す。続いて、ＰＯＩ検索部１１２は、ユーザによる目的地設定の対象となるＰＯＩの選択操作を待ち（ステップＳＴ３０８“ＹＥＳ”）、当該選択されたＰＯＩにしたがいＰＯＩ検索用ＤＢ１４５を検索し、該当の施設データに基づき目的地設定を行なう（ステップＳＴ３０９）。
【００３３】
なお、ここで新たにリスト表示されるＰＯＩ名の変更前後における新旧施設名称検索結果は、例えば、図９に示されている。上記した新旧ＰＯＩ名検索結果は、操作メニュー表示部１１１のＰＯＩ名称新旧同時表示制御部１１０によりリスト表示され、変更前の旧ＰＯＩ名に対しＰＯＩ検索用ＤＢ１４５に該当する名称がない場合は、『該当なし』と表示する。また、図１０に示されるように、ＰＯＩ検索用ＤＢ１４５のＰＯＩ名（データ作成時点での施設名）に対し、変更後の新ＰＯＩ名に該当する施設が無い場合は、その施設がなくなったものとみなし、図９同様、『該当なし』と表示する。
【００３４】
ところで、メモリカード１５に記憶されるＰＯＩ検索用補助ＤＢは、記憶媒体更新部１１９により内容の書替えが可能である。図１１に、記憶媒体１５の書替え動作がフローチャートで示されている。
図１１において、メモリカード１５の内容書替えにあたり、まず、ディスプレイ１６上にはＰＯＩ検索用補助ＤＢ書替画面が表示される（ステップＳＴ１１１）。ＰＯＩ検索用補助ＤＢ書替画面は、図１２にその画面構成の一例が示されている。
【００３５】
図１１のフローチャートにおいて、メモリカード１５からダウンロードを開始しますかの問い合わせメッセージに対し、ユーザにより「はい」ボタンが押下されると、記憶媒体更新部１１９は、メモリカードが挿入されていることを検知して（ステップＳＴ１１２“ＹＥＳ”）操作メニュー表示部１１１経由でディスプレイ１６に不図示のダウンロード開始確認画面を表示する。続いて、記憶媒体更新部１１９は、ユーザによる確認入力の指示を待って（ステップＳＴ１１３“ＹＥＳ”）ダウンロードするデータにエラーが無いかチェックする（ステップＳＴ１１４）。ここでエラーが無いことが確認されて始めてダウンロードが開始され（ステップＳＴ１１５）、ダウンロードが完了して記憶媒体１５の内容更新処理が終了する（ステップＳＴ１１６）。
【００３６】
なお、ステップＳＴ１１２でメモリカード１５が未挿入であると判定された場合（ステップＳＴ１１２“ＮＯ”）、あるいはダウンロードするデータにエラーがあると判定された場合（ステップＳＴ１１４“ＮＯ”）、記憶媒体更新部１１９は、ディスプレイ１６にエラー表示を行い（ステップＳＴ１１７）、上記した記憶媒体１５の内容更新処理の一連の処理を終了する。また、ステップＳＴ１１３において、ダウンロード開始確認画面で確認入力が無かった場合も（ステップＳＴ１１３“ＮＯ”）上記したメモリカード１５の内容更新に係る一連の処理を終了する。
【００３７】
なお、上記したこの発明の実施の形態１に係る施設検索装置によれば、メモリカード１５の内容更新は、ナビＥＣＵ１１（記憶媒体更新部１１９）が行なうものとして説明したが、ユーザがパソコン等を使用してデータ（新旧ＰＯＩ名と地図データ作成時点における施設名との関連データ）を編集し、あるいはインターネット等のネットワークを介して新しいデータをダウンロード取得することによりメモリカード１５にコピーし、当該メモリカード１５を車載ナビゲーションシステムのメモリスロット等に挿入して使用することも考えられる。
【００３８】
以上説明のようにこの発明の実施の形態１に係る施設検索装置によれば、ゴルフ場やホテルなどの施設に関し、記憶媒体（メモリカード１５）に、地図データ記憶部１４（ＰＯＩ検索用ＤＢ１４５）に登録されている施設データとは別に、施設名変更前後における新旧ＰＯＩ名と、地図データ記憶部１４に登録されているデータ作成時点におけるＰＯＩ名との関係を示すデータを追加登録する構成とすることにより、変更後の新ＰＯＩ名、あるいは変更前の旧ＰＯＩ名の何れで検索しても施設検索を可能にしたものである。このため、ユーザが地図データ記憶部１４（ＰＯＩ検索用ＤＢ１４５）に登録されているＰＯＩの名称より古い（または、新しい）名称しか知らない場合でも、施設名の変更前（旧名称）もしくは変更後（新名称）のＰＯＩ名との関係が記憶されたメモリカード１５を参照することにより検索が可能になる。また、この場合、メモリカード１５の内容のみを更新するだけで目的とする施設検索が可能になるため、更新時間の短縮、更新費用の削減、急な施設名称変更時の即時対応等が可能となる。なお、更新されるメモリカード１５は、車載ナビゲーションシステム本体装置とは分離して構成されるため、車載ナビゲーションシステムとは切り離して更新が可能である。
【００３９】
なお、上記したこの発明の実施の形態１に係る施設検索装置によれば、施設検索装置として車載ナビゲーションシステムのみ例示したが、同様の構成を有する、例えば、ＰＤＡ（Personal Digital Assistants）、や携帯電話、ＰＣ、ゲーム機等にも同様に適用が可能である。
【００４０】
また、図２に示すこの発明の実施の形態１に係る施設検索装置（ナビＥＣＵ１１）が有する各構成ブロックの機能は、全てをソフトウェアによって実現しても、あるいはその少なくとも一部をハードウェアで実現してもよい。例えば、ＰＯＩ検索部１１２、現在位置演算部１１３、経路探索部１１４、経路誘導部１１５、ＰＯＩ検索補助部１１８と、記録媒体更新部１１９におけるデータ処理は、１または複数のプログラムによりコンピュータ上で実現してもよく、また、その少なくとも一部をハードウェアで実現してもよい。
【００４１】
以上のように、この発明に係る施設検索装置は、データ作成時点における施設データと変更前及び変更後の施設名との関係を示すデータを追加登録し、変更前や変更後の施設名でも地図データのダウンロードを必要とすることなく施設検索を実現するように構成したので、車載ナビゲーションシステムや携帯電話、PCなどに用いるのに適している。
【手続補正２】
【補正対象書類名】特許請求の範囲
【補正対象項目名】全文
【補正方法】変更
【補正の内容】
【特許請求の範囲】
【請求項１】
データ作成時点における施設データが記憶された第１の記憶手段と、
前記施設データのデータ作成時施設名に変更される前の変更前施設名と前記データ作成時施設名との関連を示すデータ、もしくは、前記データ作成時施設名から変更された変更後施設名と前記データ作成時施設名との関連を示すデータが記憶される第２の記憶手段と、
前記第１の記憶手段を参照して目的の施設が検索できなかった場合、前記第２の記憶手段を参照し、前記目的の施設を前記変更前施設名もしくは前記変更後施設名として前記施設データを検索する施設検索手段と、
を有することを特徴とする施設検索装置。
【請求項２】
施設名の変更に伴い前記第２の記憶手段に記憶される記憶内容を更新する更新手段、
を有することを特徴とする請求項１記載の施設検索装置。
【請求項３】
前記施設検索手段が前記第２の記憶手段を参照して得られる変更後施設名、もしくは変更前施設名を、関連する前記第１の記憶手段に記憶されたデータ作成時施設名とともに表示する表示制御手段と、
を有することを特徴とする請求項１記載の施設検索装置。
【請求項４】
前記表示制御手段は、
前記施設検索手段が前記第２の記憶手段を参照する際、前記第１の記憶手段に記憶されている、データ作成時施設名に関連する変更後施設名が存在しない場合は、前記施設が存在しなくなったことを示すメッセージを表示することを特徴とする請求項３記載の施設検索装置。
【請求項５】
施設名の上位数桁を入力して検索を指示するとともに、前記施設検索手段による施設検索結果を表示する入力表示手段を備え、
前記施設検索手段は、
前記入力表示手段により入力された施設名に基づき前記第１の記憶手段を参照して施設検索を行って候補施設を表示し、前記施設検索結果が目的とする施設と異なる場合、前記入力表示手段により変更前後における施設名で検索する指示入力があったことを契機に、前記目的とする施設を前記変更前施設名もしくは変更後施設名として前記第１の記憶手段を参照して前記施設データを検索することを特徴とする請求項１記載の施設検索装置。
【国際調査報告】
2009034668.tif 000015
2009034668.tif 000016
2009034668.tif 000017
2009034668.tif 000018
2009034668.tif 000019
2009034668.tif 000020